(57)【要約】【課題】従来の無線通信装置の緊急通信機能は、移動機側の受信動作時間が固定であったので、管理センタ側から重要メッセージ受信中に送信動作に切替わりメッセージを完全に伝達できないことがあった。本発明は、必要なメッセージを確実に伝達可能な緊急通信機能を備えた無線通信装置及びその制御方法を提供する。【解決手段】受信動作中に受信信号の有無を確認し、受信信号が有る場合は受信動作を継続するように構成し、または制御する。【選択図】図２
2007288281.tif 000002
【特許請求の範囲】
【請求項１】
緊急通信機能と、送信と受信を相互に切替えるプレストーク通信機能とを有する無線通信装置において、前記緊急通信機能起動時に自動的に予め設定した時間送信動作と受信動作を所定回数繰り返す緊急通信制御手段と、前記送信動作の継続時間と前記受信動作の継続時間を計測するタイマ手段と、前記受信動作中に受信信号の有無を検出する受信信号検出手段と、前記受信信号検出手段によって受信信号が検出されたとき前記設定した時間に拘わらず受信動作を継続する手段と、を備えたことを特徴とする無線通信装置。
【請求項２】
前記緊急通信制御手段は更に、前記受信動作継続中に前記受信信号検出手段により受信信号が検出されて継続した受信動作が終了したとき前記受信タイマ手段の計測時間が予め設定した時間を経過しているか否かを判断し、前記受信継続時間が予め設定した時間経過後である場合は直ちに送信動作に移行する制御手段を備えたことを特徴とする請求項１記載の無線通信装置。
【請求項３】
前記緊急通信制御手段は更に、前記受信動作継続時間中に前記受信信号検出手段によって受信信号が検出されたとき前記タイマ手段の受信継続時間計数値を初期化して計数を再スタートする手段を備えたことを特徴とする請求項１記載の無線通信装置。
【請求項４】
緊急通信機能と、送信と受信を相互に切替えるプレストーク通信機能とを有する無線通信装置の緊急通信制御方法において、前記緊急通信機能起動時に自動的に予め設定した時間送信動作と受信動作を所定回数繰り返す緊急通信制御処理と、前記送信動作の継続時間と前記受信動作の継続時間を計測するタイマ処理と、前記受信動作中に受信信号の有無を検出する受信信号検出処理と、前記受信信号検出処理によって受信信号が検出されたとき前記設定した時間に拘わらず受信動作を継続する処理と、を含むことを特徴とする無線通信装置の緊急通信制御方法。
【請求項５】
前記緊急通信制御処理は更に、前記受信動作継続中に前記受信信号検出処理により受信信号が検出されて継続した受信動作が終了したとき前記受信タイマ処理の計測時間が予め設定した時間を経過しているか否かを判断し、前記受信継続時間が予め設定した時間経過後である場合は、直ちに送信動作に移行する制御処理を含むことを特徴とする請求項４記載の無線通信装置の緊急通信制御方法。
【請求項６】
前記緊急通信制御処理は更に、前記受信動作継続時間中に前記受信信号検出処理によって受信信号が検出されたとき前記タイマ処理による受信継続時間計数値を初期化して計数を再スタートする処理を含むことを特徴とする請求項４記載の無線通信装置の緊急通信制御方法。
【発明の詳細な説明】
【技術分野】
【０００１】
本発明は、無線通信装置及びその緊急通信制御方法に関し、詳細には、プレストーク方式の無線通信装置及びその緊急通信制御方法の改良に関するものである。
【背景技術】
【０００２】
タクシーや、現金あるいは貴金属運搬用車両等には、通常連絡用に無線通信装置が備えられているが、更に、これら無線通信装置には万一の金品強奪事件発生等に備えて緊急通信機能を付加する場合が多い。緊急通信機能は、例えば、運搬従事者が、暴漢等の強制管理下において通信連絡の自由を束縛された状態でも、緊急スイッチを操作すると、車両等に搭載した無線通信装置を自動的に起動するとともに、送受信動作をサイクリックに繰り返し、送信動作中に送信機に付属されたマイクロフォンによって現場の状況情報音声等をピックアップして無線送信し、これを受信可能な無線基地局や管理センタに報知するものである。
【０００３】
図７は、従来の緊急通信機能を備えた無線通信装置の制御例を示すフローチャートである。この例に示す緊急通信処理では、緊急スイッチ（Emergency Key）がオンされると（Ｓ６１）、送信と受信夫々の開始の際に、音響的なトーン信号を所定時間発生してオペレータに報知する音響設定（Audible）処理と、無音（Silent）処理のいずれかを選択するようになっているので、そのどちらが設定されているかを判断する（Ｓ６２）。音響設定処理の場合は送信処理の前に所定時間トーンを発生し（Ｓ６３〜Ｓ６４）、その後で送信動作を行い（Ｓ６５〜Ｓ６６）、その間に車内の音響情報を送信し、所定時間経過すると、受信開始を示す第二のトーンを発生後（Ｓ６７〜Ｓ６８）、所定時間受信動作を行い（Ｓ６９〜Ｓ７０）、その間は基地局や管理センタ等からの指示や質問等を受信する。一方無音処理のときはトーンを発生することなく送信と受信を行い（Ｓ７１〜Ｓ７４）、これらの処理回数が予め設定した回数になるまで繰り返す（Ｓ７５）。
【０００４】
このような緊急通信において、更に有用な手段として、例えば特許文献１に開示されたものがある。これは、強盗や車両事故等の緊急時に、無線通信装置に設けられた緊急スイッチ（Emergency Key）をオンすると、無線通信装置の送信機に付加されたマイクロフォンの実質的感度を増大させることによって、微小な音声でもピックアップして送信可能にしたものである。即ち、通常の通信では、操作者は口元にマイクロフォンを近づけて通話し、その状態で適切な音声出力レベル信号が送信機に変調信号として供給されるようになっているが、緊急時は、車両内の広範囲から音響情報をピックアップして送信する必要が多いので、マイクロフォンに付加した増幅器の利得を大きくする等の手段によってマイクロフォンの実質的感度を増大させるようにしたものである。
【特許文献１】特開２００１−２８７５９９公報
【発明の開示】
【発明が解決しようとする課題】
【０００５】
上述した従来の緊急通信機能では移動機側からの送信動作の制御が可能となり現場の状況を把握する上では有用であるが、基地局や管理センタ等からの問い合わせを受信中に、所定の時間が経過すると自動的に送信動作に移行して完全に受信できない場合があった。即ち、移動機側の受信動作の時間が固定的であることから、管理センタ側から伝えたいメッセージを送信中(移動機側においては受信中)に、所定時間が経過すると自動的に送信動作になって、必要なメッセージが伝達できない。以下、この点について詳細に説明する。
【０００６】
図８は上述した特許文献１に開示された無線通信機の制御例を示すフローチャートで、マイクロフォンから所定レベル以上の音声入力信号があるとき、強制的に送信動作を行うＶＯＸ機能を利用し、強制的に送信動作を継続する送信動作優先処理を行うものである。
同図８において、フローがスタートすると、先ずマイクロフォンに所定レベル以上の入力が検出されるか否かを判断し、マイクロフォンに入力が有る場合は送信動作を優先させ（Ｓ８１〜Ｓ８２）、マイクロフォン入力がなくなると（Ｓ８２  Ｎｏ）予め設定した時間が経過したか否かを判断し（Ｓ８３）、マイクロフォン入力がなく、且つ、所定時間経過したときに（Ｓ８３  ＹＥＳ）、受信動作に移行する。一方受信動作においては、予め設定した時間受信動作を継続し（Ｓ８４〜Ｓ８５）、所定時間が経過すると受信動作を終了し（Ｓ８５  ＹＥＳ）、以上の処理を予め設定した回数繰り返す（Ｓ８６）。このとき、緊急通信の際マイクロフォンの実質的感度を増大させることによって、微小な音響情報をもピックアップする機能を備えれば、より一層効果的である。
【０００７】
なお送信動作時間と受信動作時間は、図９（ａ）に示すように、予め定めた設定時間毎に繰返すことを基本とするが、送信優先モードでは、同図９（ｂ）に示すようにマイクロフォンへの音声入力検出によって自動的に送信動作を行う機能、通常ＶＯＸ（ボイスコントロール機能）として知られている機能を利用する場合や、移動機側のプレストークスイッチを操作してユーザによる送信動作により、送信動作時間を延長することが可能である。
【０００８】
図１０は特許文献１に記載された緊急通信機能を備えた無線通信装置２０の概要構成図であり、２１はマイクロフォン、２２及び２４はマイクロフォン利得切替スイッチ、２３はマイクロフォン信号増幅器、２５は送信回路、２６は無線通信装置全体を制御する制御回路、２７は緊急（エマージェンシー）機能スイッチ、２８は緊急指示スイッチ、２９はタイマ指定スイッチ、３０はＶＯＸ回路、３１はアンテナである。
【０００９】
しかしながら、既に説明したように従来の緊急通信制御方法では、移動機側（緊急通信を行う移動機側）の送信動作はある程度コントロール可能であるものの、受信動作の時間が固定的であることから、管理センタ側から伝えたいメッセージを送信中(移動機側においては受信中)においても、所定時間が経過すると自動的に送信動作になって、必要なメッセージが伝達できないことがあった。
本発明の目的は、このような従来の緊急通信機能を備えた無線通信装置の問題を解決するためになされたもので、管理センタ等からの必要なメッセージを確実に伝達することが可能な緊急通信機能を備えた無線通信装置及びその制御方法を提供することを目的としている。
【課題を解決するための手段】
【００１０】
本発明では、上記目的を達成するために、請求項１記載の無線通信装置では、緊急通信機能と、送信と受信を相互に切替えるプレストーク通信機能とを有する無線通信装置において、前記緊急通信機能起動時に自動的に予め設定した時間送信動作と受信動作を所定回数繰り返す緊急通信制御手段と、前記送信動作の継続時間と前記受信動作の継続時間を計測するタイマ手段と、前記受信動作中に受信信号の有無を検出する受信信号検出手段と、前記受信信号検出手段によって受信信号が検出されたとき前記設定した時間に拘わらず受信動作を継続する手段と、を備えたことを特徴とする。
【００１１】
請求項２記載の無線通信装置は、請求項１記載の発明において、前記緊急通信制御手段は更に、前記受信動作継続中に前記受信信号検出手段により受信信号が検出されて継続した受信動作が終了したとき前記受信タイマ手段の計測時間が予め設定した時間を経過しているか否かを判断し、前記受信継続時間が予め設定した時間経過後である場合は直ちに送信動作に移行する制御手段を備えたことを特徴とする。
【００１２】
請求項３記載の発明では、請求項１記載の無線通信装置において、前記緊急通信制御手段は更に、前記受信動作継続時間中に前記受信信号検出手段によって受信信号が検出されたとき前記タイマ手段の受信継続時間計数値を初期化して計数を再スタートする手段を備えたことを特徴とする。
【００１３】
請求項４記載の発明は無線通信装置の緊急通信制御方法に関するもので、緊急通信機能と、送信と受信を相互に切替えるプレストーク通信機能とを有する無線通信装置の緊急通信制御方法において、前記緊急通信機能起動時に自動的に予め設定した時間送信動作と受信動作を所定回数繰り返す緊急通信制御処理と、前記送信動作の継続時間と前記受信動作の継続時間を計測するタイマ処理と、前記受信動作中に受信信号の有無を検出する受信信号検出処理と、前記受信信号検出処理によって受信信号が検出されたとき前記設定した時間に拘わらず受信動作を継続する処理と、を含むことを特徴とする。
【００１４】
請求項５記載の発明では、請求項４記載の無線通信装置の緊急通信制御方法において、前記該緊急通信制御処理は更に、前記受信動作継続中に前記受信信号検出処理により受信信号が検出されて継続した受信動作が終了したとき前記受信タイマ処理の計測時間が予め設定した時間を経過しているか否かを判断し、前記受信継続時間が予め設定した時間経過後である場合は直ちに送信動作に移行する制御処理を含むことを特徴とする。
【００１５】
請求項６記載の発明では、請求項４記載の無線通信装置の緊急通信制御方法において、前記該緊急通信制御処理は更に、前記受信動作継続時間中に前記受信信号検出処理によって受信信号が検出されたとき前記タイマ処理による受信継続時間計数値を初期化して計数を再スタートする処理を含むことを特徴とする。
【発明の効果】
【００１６】
本発明は以上のように構成し、または処理するので、夫々以下のような効果がある。
請求項１記載の無線通信装置では、プレストーク通信機能と緊急通信機能とを有する無線通信装置において、緊急通信機能起動時には送信動作と受信動作を繰り返すが、受信動作中に受信信号を検出したとき設定した時間に拘わらず受信動作を継続する手段を備えたので、管理センタ等から必要なメッセージを送信中であっても、受信信号が検出されると移動機側(緊急通信端末側)の受信動作が継続されることになるので、必要なメッセージが確実に伝達可能となる。特に、管理センタ等では送信を任意に行い得るので、制御が制限されることが多い移動機側の受信動作を管理センタ等から制御することができるという効果がある。
【００１７】
請求項２記載の無線通信装置は、緊急通信制御手段は更に、受信動作継続中に受信信号検出手段により受信信号が検出されて継続した受信動作が終了したとき受信タイマ手段の計測時間が予め設定した時間を経過しているか否かを判断し、受信継続時間が予め設定した時間経過後である場合は直ちに送信動作に移行する制御手段を備えたので、予め設定した受信動作時間の範囲内で受信信号の検出が終了した場合は、当該設定時間が終了するまで受信動作を継続するが、設定時間を越えて受信信号の検出に基づいて受信動作が継続した場合は、受信信号検出が終了すると直ちに受信動作を終了し、移動機側の送信動作に移行できるので、迅速な情報収集を行う上で効果がある。
【００１８】
請求項３記載の発明では、緊急通信制御手段は更に、受信動作継続時間中に受信信号検出手段によって受信信号が検出されたときタイマ手段の受信継続時間計数を初期化して計数を再スタートする手段を備えたので、受信信号が検出されなくなっても直ちに送信動作に移行することなく、最大限受信設定時間分、受信動作を継続することになる。従って、例えば、管理センタから重要メッセージを送信中に、移動機側における着信電界レベルが微弱で時々途切れる場合や、移動に伴うフェージングによって雑音が混入する場合において受信信号なしと判断して受信動作を終了してしまうといった不具合を回避することが可能となる効果がある。
【００１９】
請求項４乃至請求項６記載の無線通信装置の緊急通信制御方法では、上述した請求項１乃至３記載の無線通信装置の緊急通信制御機能を処理手順としたので、これらの手順を処理プログラム等のソフトウエアとして作成し、コンピュータ機能を備えた無線通信装置にインストールすれば、同様の作用効果を得ることが可能となる。
【発明を実施するための最良の形態】
【００２０】
以下、本発明を図に示した実施形態を用いて詳細に説明する。但し、この実施形態に記載される技術用語、構成要素、種類、組み合わせ、形状、その相対配置などは特定的な記載がない限り、この発明の範囲をそれのみに限定する主旨ではなく単なる説明例に過ぎない。
先ず、本発明の無線通信装置の一実施態様例について説明する。
図１は、本発明に係る無線通信装置の一実施態様例の概要構成を示すブロック図である。この例に示す無線通信装置は、アンテナ１と、該アンテナを送信回路と受信回路に切替える送受信切替スイッチ２と、送信回路３と、受信回路４と、マイクロフォン５と、スピーカ６と、通信制御回路７とを備えている。更に通信制御回路７は、無線通信装置全体を制御するＣＰＵ１０と、制御プログラムやデータ等を記憶するメモリ１１と、受信回路４からの信号の一部に基づいて着信信号の有無を検出する受信信号検出回路１２と、送信動作や受信動作の継続時間を計数するタイマ回路１３と、送信回路３等を制御する送信信号を発生するプレス制御回路１４と、ＣＰＵ１０に接続された緊急スイッチ（Emergency Key）１５とを含み、ＣＰＵ１０はバスライン１６等を介して当該無線通信装置の各部を制御して、以下説明する緊急通信処理を実行するように構成されている。
【００２１】
これらの構成において特徴的なことは、プレス制御回路１４に、マイクロフォン５等に付加されたプレススイッチ(図示省略)からのプレス信号とタイマ回路１３からの信号と受信信号検出回路１２からの信号とが供給され、夫々の信号に関連して送信信号を発生させ送信回路３と送受切替スイッチ２とを制御する点である。なお、送信動作と受信動作とを切替えてプレストーク通信を行う無線通信装置では、同時に受信回路４も制御し、送信動作の際は受信機能を停止するトランシーブ制御を行うことは従来の場合と同じである。また受信回路４への着信の有無を検出する受信信号検出回路１２の具体的手段としては種々の方法が考えられるが、例えばＦＭ変調方式であれば、受信回路４の中間周波増幅器のリミッタ信号を検出する方法、あるいはトーンスケルチやデジタル方式の符号を用いたスケルチ検出信号を利用する方法等があるが、これらに限らない。
【００２２】
図２は上述したように構成した本発明に係る無線通信装置（以下の説明では移動機あるいは移動機側と称する）の緊急通信機能制御例の一部を説明するフローチャートである。この例に示す処理では、緊急スイッチ（Emergency Key）１５がオンされると、先ず送信動作を実行する（Ｓ１）。移動機側では、緊急スイッチ１５の操作に基づいて自動的にプレス信号がプレス制御回路１４に供給され、送信信号が送信回路３，送受切替スイッチ２及び必要に応じて受信回路４に供給されて送信動作が起動する。この送信動作中に移動機側の送信機（送信回路３）のプレススイッチがオンされているときは「送信動作あり」と判定されて、送信動作が継続されるが（Ｓ２）、プレススイッチの操作がなされていない場合及びプレススイッチの操作が解除されると（Ｓ２  Ｎｏ）、送信動作時間として設定された時間が経過したか否か「タイマ経過」の有無をタイマ回路１３によって判断する（Ｓ３）。この判断において「タイマ経過」していない場合は（Ｓ３  Ｎｏ）、送信動作処理Ｓ１、Ｓ２を繰り返し、送信動作の継続を行うが、「タイマ経過」したことを判断すると（Ｓ３  ＹＥＳ）受信状態（受信動作）に移行する（Ｓ４）。なお、ＶＯＸ機能が付加されている場合はマイクロフォンに所定レベル以上の入力が検出されるときに送信動作を継続するように構成することもできる。
【００２３】
受信動作では一定期間受信動作を行うが、その期間に移動機側の受信機（受信回路４）に着信があるときは（Ｓ５  ＹＥＳ）信号受信が終了するまで、受信動作の継続を延長する。即ち、移動機に着信があるということは、原則的に当該移動機の通信相手である管理センタや基地局が送信している場合を意味する。従って、管理センタが意図的に送信を続ける間、移動機側の受信動作が継続することになる。そして、管理センタが送信を終了すると移動機側の受信信号がなくなるので、信号受信中ではないと判断され（Ｓ５  Ｎｏ）、予め受信動作時間として設定された時間(タイマ)が経過したか否かをタイマ回路１３によって判断し、受信タイマが経過していない場合は受信動作を継続し（Ｓ６  Ｎｏ）、受信タイマが経過している場合は受信動作を終了する（Ｓ６  ＹＥＳ）。なお、このフローチャートでは、本発明の送受信動作の基本的な考え方を例示したものであり、種々変更や組み合わせが可能であるし、実際は従来例として示した図７の処理Ｓ７５のように、予め設定した緊急通信の際に実行する送信動作と受信動作の回数（サイクル回数）になるまで繰り返し実行する。
【００２４】
図３（ａ）、（ｂ）は、上述した本発明の実施形態に示した送受信動作フローチャートにおける具体的な一例を、時系列的な動作状態図として表示したものであり、この例では、説明を簡単にするために、送信動作においては移動機側のプレススイッチ操作やＶＯＸ機能の動作が行われず、予め設定した時間のみ送信動作を行った後受信動作に移行する場合を示している。同図（ａ）に示す受信動作例では、予め設定した時間を越えて受信状態が継続した場合を示し、図（ｂ）では、設定時間以内で受信動作が終了した場合を示している。このように本発明によれば、移動機側の受信動作中に受信信号が検出されると、予め設定した時間のタイマ経過後であっても受信を継続するので、管理センタ等からのメッセージを確実に移動機側に伝達することが可能となる。更に、移動機側のＶＯＸ機能や送信機のプレス機能を併用すれば、緊急事態の状況に応じて送信動作と受信動作を適切に制御し得る緊急通信制御が可能となる。
【００２５】
図４は、本発明の変形実施態様例を示すフローチャートである。この例では、送信動作処理Ｓ１１、Ｓ１２、Ｓ１３は図２と同じであるが、受信動作の制御に特徴がある。即ち、受信動作処理Ｓ１４が開始すると、移動機側の受信機（受信回路４）に着信があるか否かを判断し、有意の信号の着信があるときは受信中と判断して（Ｓ１５  ＹＥＳ）、タイマ回路１３の受信タイマの計数値を初期化（Ｓ１６）した上で、Ｓ１４に戻って受信動作を継続する。このタイマ初期化(リセット)に伴いリスタートし（計数値をゼロにして）再び受信動作設定時間の計数を開始することになる。また受信動作中において処理Ｓ１５の信号受信中であるか否かの判断の結果、受信信号が検出されないときは（Ｓ１５  Ｎｏ）、タイマが予め設定した所定時間を計数したか否かを判断する（Ｓ１７）。この判断の結果、タイマの計数時間が所定値以下であればＳ１４に戻って受信動作を継続する（Ｓ１７  Ｎｏ）が、タイマが所定時間以上を計数しているときは（Ｓ１７  ＹＥＳ）、受信動作処理を終了する。なお、このフローチャートも、本発明の送受信動作の基本的な考え方を例示したもので、実際は図７において説明したように、送受信動作を予め設定した回数繰り返し実行することは云うまでもない。
【００２６】
図５は、上述した本発明の変形実施形態のフローチャートにおける具体的な一例を、時系列的な動作状態図として表示したものであり、図３と同様に、説明を簡単にするため送信動作においては移動機側のプレススイッチ操作やＶＯＸ機能の動作を省略している。即ち、図５に示すように、受信動作設定時間以内に着信信号が検出されると、タイマ計数値が初期化（リセット）されて、再計数を開始するので、受信信号が検出されなくなっても直ちに送信動作に移行することなく、最大限受信設定時間分、受信動作を継続することになる。この処理の効果としては、例えば、管理センタから重要メッセージを送信中に、移動機側における着信電界レベルが微弱で時々途切れる場合や、移動に伴うフェージングによって雑音が混入する場合において受信信号なしと判断して受信動作を終了してしまうといった不具合を回避することが可能となる。
【００２７】
図６は、本発明に係る無線通信装置及びその緊急通信方法の緊急通信機能の具体的な処理の一例を示すフローチャートである。この例に示す処理では、緊急スイッチ（Emergency Key）１５がオンされると（Ｓ２０）、送信と受信夫々の開始の際に音響的なトーン信号を所定時間発生してオペレータに報知する音響設定（Audible）処理と、無音（Silent）処理のいずれかを選択する（Ｓ２１）。音響設定処理の場合は送信、受信夫々の処理の前に所定時間トーンを発生し（Ｓ２２〜Ｓ２３）、その後送信動作に移行し（Ｓ２４〜Ｓ２６）、その間車内の音響情報を送信するが、この送信動作処理は、図２乃至図５を用いて既に説明したように行う。即ち、Ｓ２５の送信動作有りか否かの判断は、ＶＯＸ機能がオンされているときはマイクロフォン５に所定値レベル以上の入力があって強制的に送信制御されていること、あるいは移動機側の送信機（送信回路３）のプレススイッチが操作されていることを検出すると、その間は送信動作を継続する（Ｓ２５  ＹＥＳ）。この判断処理において送信動作ではないと判断されたときは、予め設定された送信時間が経過したか否かをタイマ機能の計数値に基づいて判断し、経過していないときは引き続き送信動作を継続する（Ｓ２６  Ｎｏ）が、所定時間経過しているときは受信開始を示す第二のトーンを発生後（Ｓ２７〜Ｓ２８）、受信動作を開始する（Ｓ２９〜Ｓ３０）。この受信動作処理も、図２乃至図５を用いて説明した場合と同様に行えばよい。即ち、処理Ｓ３０の「信号受信中？」の判断は、移動機側の受信機（受信回路４）に着信信号が検出されているか否かを判断するもので、具体的には通信方式応じて種々の手段が知られている。なお、従来から知られているトーンスケルチ手段や、それに代わるデジタル符号等を採用する通信システムでは、それらトーン信号や符号の有無によって受信信号の有無を判断することも可能であろう。この判断の結果、信号受信中の場合は受信動作を継続し（Ｓ３０  ＹＥＳ）、受信中ではないと判断した場合は（Ｓ３１  Ｎｏ）、予め設定された時間が経過したか否かを受信タイマ手段の計数結果によって判断し、経過していない場合は（Ｓ３１  Ｎｏ）引き続き受信動作を継続するが、時間が経過しているときは（Ｓ３１  ＹＥＳ）受信動作を終了するとともに、受信・送信動作が所定回数繰り返されるまで、以上のフローを実行する（Ｓ３２）。なお、処理Ｓ２１において無音（Silent）処理を行う旨判断された場合は（Ｓ２１  Ｎｏ）、処理Ｓ３３乃至Ｓ３９を実行するが、これらの処理は既に説明した処理Ｓ２０乃至Ｓ３２のなかから音響設定（Audible）処理である処理Ｓ２２乃至Ｓ２３及び処理Ｓ２７乃至Ｓ２８を除いたものであるので、詳細な説明は省略する。なお、受信動作処理において、図４乃至図５を用いて説明したように、受信信号検出時にタイマ手段の計数値を初期化する方法を用いても良いことは云うまでもない。また、送信機にＶＯＸ機能を付加してマイクロフォンに一定レベル以上の入力を検出したとき、送信動作を優先させた場合は、例えば周囲の騒音等にも反応して無用に送信動作を継続してコントロールが利かなくなる不具合を防止するために、予め設定した時間経過後は、強制的に送信操作を中止する機能を付加する���とが好ましい。
【００２８】
以上説明したように本発明では、緊急通信において移動機側の受信動作の際に、受信信号が検出される間は受信動作を継続するようにしたので、移動機側が受信動作中に管理センタ等から送信機のプレススイッチを操作して送信状態にすることにより、移動機側を受信状態に保持することができるから、必要に応じて管理センタ側でプレススイッチ操作を行えば、重要なメッセージを正確に伝達することが可能となる。
【００２９】
本発明は、以上説明した実施例に限定する必要はなく、種々変形が可能である。例えば、図１に示す構成において、プレス制御回路１４に受信信号検出回路１２とタイマ回路１３の信号を直接供給する例を示したが、これらの信号を全てＣＰＵ１０に供給して、ＣＰＵ１０を介してプレス制御回路１４に供給する構成でもよい。
【００３０】
あるいは、例えばハードウェアとして図１０に示す特許文献１に提案された無線通信装置を使用することも可能であり、その制御回路２６に、以上説明した本発明の緊急通信制御方法に基づくソフトウエアを搭載し、本発明の無線通信装置として必要な各機能を実現すればよい。即ち、図１０に示した構成の無線通信装置に本発明を適用する場合は、制御回路２６に、新たに緊急通信機能起動時に自動的に予め設定した時間送信動作と受信動作を所定回数繰り返す緊急通信制御機能と、送信動作の継続時間と受信動作の継続時間とを計測するタイマ機能と、受信動作中に受信信号の有無を検出する受信信号検出機能と、受信信号検出手段によって受信信号が検出されたとき設定した時間に拘わらず受信動作を継続する機能とを備える。但し、この例では特許文献１に開示された発明を実施したものであるが、本発明のみを実施する場合は、上記構成のうち、マイクロフォン２１、送信回路２５、制御回路２６と、緊急スイッチに該当する緊急（エマージェンシー）機能スイッチ２７を残せばよい。
【００３１】
更に、同一出願人が特開２００５−２５２９６３公報にて提案しているように、必要に応じて管理センタ等から移動機側の受信出力をコントロールする手段を併用することも有用であろうし、同様に送信信号中に移動機側の送信や受信機能をコントロールする各種制御信号を重畳して送信し、受信側でこれら制御信号に基づいて指定された制御を行う手段を併用することも可能である。
【００３２】
本発明は、上述した実施形態のみに限定されたものではない。上述した実施形態の無線通信装置を構成する各機能あるいは本発明の緊急通信制御方法をそれぞれプログラム化し、あらかじめＣＤ−ＲＯＭ等の記録媒体に書き込んでおき、コンピュータに搭載したＣＤ−ＲＯＭドライブのような媒体駆動装置にこのＣＤ−ＲＯＭ等を装着して、これらのプログラムをコンピュータのメモリあるいは記憶装置に格納し、それを実行することによって、本発明の目的が達成されることは言うまでもない。この場合、記録媒体から読み出されたプログラム自体が上述した実施形態の機能を実現することになり、そのプログラムおよびそのプログラムを記録した記録媒体も本発明を構成することになる。
【００３３】
なお、プログラムを格納する記録媒体としては半導体媒体（例えば、ＲＯＭ、不揮発性メモリカード等）、光媒体（例えば、ＤＶＤ、ＭＯ、ＭＤ、ＣＤ等）、磁気媒体（例えば、磁気テープ、フレキシブルディスク等）等のいずれであってもよい。また、ロードしたプログラムを実行することにより上述した実施形態の機能が実現されるだけでなく、そのプログラムの指示に基づき、オペレーティングシステムあるいは他のアプリケーションプログラム等と共同して処理することによって上述した実施形態の機能が実現される場合も含まれる。
市場に流通させる場合には、可搬型の記録媒体にプログラムを格納して流通させ、あるいは、インターネット等を介して接続されたサーバコンピュータの記憶装置にプログラムを格納しておき、インターネット等を通じて他のコンピュータに転送することもできる。この場合、このサーバコンピュータの記憶装置も本発明の記録媒体に含まれる。
なお、コンピュータでは、可搬型の記録媒体上のプログラム、または転送されてくるプログラムを、コンピュータに接続した記録媒体にインストールし、そのインストールされたプログラムを実行することによって上述した実施形態の機能が実現される。
【図面の簡単な説明】
【００３４】
【図１】本発明に係る無線通信装置の一実施態様例を示す概要ブロック図である。
【図２】本発明に係る無線通信装置の緊急通信処理の一実施態様例を示すフローチャートである。
【図３】本発明の緊急通信処理の実施例における時系列的な動作状態図であり、（ａ）は受信信号が受信設定時間以上の場合を示す図、（ｂ）は受信信号が受信設定時間以下の場合を示す図である。
【図４】本発明に係る緊急通信処理の変形実施例を示すフローチャートである。
【図５】本発明の他の実施形態例における時系列的な動作状態図である。
【図６】本発明に係る緊急通信処理の具体例を示すフローチャートである。
【図７】従来の無線通信装置の緊急通信処理の例を示すフローチャートである。
【図８】従来の無線通信装置の緊急通信処理の例を示すフローチャートである。
【図９】従来の無線通信装置の緊急通信処理の時系列的な動作状態図であり、（ａ）は自動送信動作時を示す図、（ｂ）はユーザ(移動側オペレータ)プレススイッチ操作時を示す図である。
【図１０】従来のＶＯＸ機能を備えた無線通信装置の概要ブロック図である。
【符号の説明】
【００３５】
１  アンテナ、２  送受信切替スイッチ、３  送信回路、４  受信回路、５  マイクロフォン、６  スピーカ、７  通信制御回路、８  タイマ回路、１０  ＣＰＵ、１１  メモリ、１２  受信信号検出回路、１３  タイマ回路、１４  プレス制御回路、１５  緊急スイッチ
【図１】
2007288281.tif 000003
【図２】
2007288281.tif 000004
【図３】
2007288281.tif 000005
【図４】
2007288281.tif 000006
【図５】
2007288281.tif 000007
【図６】
2007288281.tif 000008
【図７】
2007288281.tif 000009
【図８】
2007288281.tif 000010
【図９】
2007288281.tif 000011
【図１０】
2007288281.tif 000012